(57)【要約】【課題】  著作権を尊重しつつ任意の装置でコンテンツを使用出来る利便性の高いネットワークコンテンツ管理方法、コンテンツサーバ、再生機器、認証サーバおよび認証端末を提供する。【解決手段】  コンテンツのダウンロードを再生機器２がコンテンツサーバ１に要求し、コンテンツサーバ１が再生機器２に応答を返し、前記応答を再生機器２が携帯電話機５に転送し、ダウンロードを携帯電話機５がコンテンツサーバ１に要求し、携帯電話機５に関する認証をコンテンツサーバ１が認証サーバ６に要求し、認証サーバ６がコンテンツサーバ１に認証する応答を返した場合に、コンテンツサーバ１が再生機器２にコンテンツデータを送出する。【選択図】        図１
2009075987.tif 000002
【特許請求の範囲】
【請求項１】
コンテンツを提供するコンテンツサーバ、前記コンテンツを再生する再生機器、前記コンテンツを入手するために認証を取得する認証端末および前記認証端末に関する認証を発行する認証サーバを含むシステムにおいて実行されるネットワークコンテンツ管理方法であって、
コンテンツのダウンロードを前記再生機器が前記コンテンツサーバに要求するステップと、
前記要求に対して前記コンテンツサーバが前記再生機器に応答を返すステップと、
前記応答を前記再生機器が前記認証端末に転送するステップと、
前記応答に対して前記再生機器にコンテンツをダウンロードさせることを前記認証端末が前記コンテンツサーバに要求するステップと、
前記要求に対して前記認証端末に関する認証を前記コンテンツサーバが前記認証サーバに要求するステップと、
前記認証の要求に対して前記認証サーバが前記コンテンツサーバに認証する応答を返すステップと、
前記認証の応答が得られた場合に、前記コンテンツサーバが前記再生機器にコンテンツデータを送出するステップとを含むことを特徴とするネットワークコンテンツ管理方法。
【請求項２】
前記コンテンツデータを送出するステップにおいて、前記認証端末を識別する識別情報をコンテンツデータに付加し、前記再生機器の物理アドレスで暗号化したものを送出することを特徴とする請求項１記載のネットワークコンテンツ管理方法。
【請求項３】
前記コンテンツデータを送出するステップにおいて、前記認証端末を識別する識別情報および前記再生機器の物理アドレスをコンテンツデータに付加し、前記認証端末の電子メールアドレスで暗号化したものを送出することを特徴とする請求項１記載のネットワークコンテンツ管理方法。
【請求項４】
前記コンテンツデータを送出するステップにおいて、前記認証端末を識別する識別情報、前記再生機器の物理アドレスおよび前記認証端末の電子メールアドレスをコンテンツデータに付加し、所定のパスワードで暗号化したものを送出することを特徴とする請求項１記載のネットワークコンテンツ管理方法。
【請求項５】
前記コンテンツサーバから送出されたコンテンツデータの再生を前記再生機器が前記コンテンツサーバに要求するステップと、
前記要求に対してコンテンツデータの再生を前記コンテンツサーバが前記再生機器に許容するステップとを含むことを特徴とする請求項１記載のネットワークコンテンツ管理方法。
【請求項６】
前記コンテンツデータの再生を許容するステップにおいて、前記再生機器によるコンテンツデータの再生回数に応じてコンテンツデータの再生を許容または拒否することを特徴とする請求項５記載のネットワークコンテンツ管理方法。
【請求項７】
前記コンテンツデータの再生回数は、前記再生機器が計数して前記コンテンツサーバに通知したものであることを特徴とする請求項６記載のネットワークコンテンツ管理方法。
【請求項８】
前記再生回数の通知は、次にコンテンツのダウンロードを前記再生機器が前記コンテンツサーバに要求するときに合せて行うことを特徴とする請求項７記載のネットワークコンテンツ管理方法。
【請求項９】
前記コンテンツデータの再生を第２再生機器が前記コンテンツサーバに要求するステップと、
前記要求に対して前記コンテンツサーバが前記第２再生機器に応答を返すステップと、
前記応答を前記第２再生機器が前記認証端末に転送するステップと、
前記応答に対して前記第２再生機器にコンテンツを再生させることを許容するように前記認証端末が前記コンテンツサーバに要求するステップと、
前記要求に対して前記認証端末に関する認証を前記コンテンツサーバが前記認証サーバに要求するステップと、
前記認証の要求に対して前記認証サーバが前記コンテンツサーバに認証する応答を返すステップと、
前記認証の応答が得られた場合に、前記コンテンツサーバが前記第２再生機器にコンテンツデータの再生を許容するステップとを含むことを特徴とする請求項１記載のネットワークコンテンツ管理方法。
【請求項１０】
コンテンツを提供するコンテンツサーバであって、
コンテンツを再生する再生機器から送信された、コンテンツのダウンロード要求を受信する第１ＤＬ要求受信手段と、
前記ダウンロード要求に対して前記再生機器に応答を送信する応答送信手段と、
認証端末から送信された、前記再生機器にコンテンツをダウンロードさせる要求を受信する第２ＤＬ要求受信手段と、
前記認証端末に関する認証要求を認証サーバに送信する認証要求送信手段と、
前記認証サーバから送信された、前記認証端末に関する認証応答を受信する認証応答受信手段と、
前記認証サーバから認証応答が得られた場合に、前記再生機器にコンテンツデータを送出するコンテンツ送出手段とを備えたことを特徴とするコンテンツサーバ。
【請求項１１】
コンテンツを再生する再生機器であって、
コンテンツのダウンロードに関する要求をコンテンツサーバに送信する第１ＤＬ要求送信手段と、
前記第１ＤＬ要求に対して前記コンテンツサーバから送信された応答を受信するＤＬ応答受信手段と、
受信した前記ＤＬ応答を認証端末に転送するＤＬ応答転送手段と、
前記コンテンツサーバから送出されたコンテンツデータを受信するコンテンツ受信手段とを備えたことを特徴とする再生機器。
【請求項１２】
コンテンツを入手するために認証を取得する認証端末であって、
再生機器からコンテンツサーバに送信されたコンテンツのダウンロードに関する要求に対して前記コンテンツサーバが前記再生機器に返し前記再生機器から転送された応答を受信するＤＬ応答受信手段と、
前記ＤＬ応答に対して前記再生機器にコンテンツをダウンロードさせる要求を前記コンテンツサーバに送信するＤＬ要求送信手段とを備えたことを特徴とする認証端末。
【請求項１３】
認証端末に関する認証を発行する認証サーバであって、
コンテンツサーバから送信された、再生機器に対しコンテンツをダウンロードするための、前記認証端末に関する認証要求を受信する認証要求受信手段と、
前記認証要求に対して前記コンテンツサーバに認証する応答を送信する認証応答送信手段とを備えたことを特徴とする認証サーバ。
【発明の詳細な説明】
【技術分野】
【０００１】
本発明は、ネットワークコンテンツ管理方法、コンテンツサーバ、再生機器、認証サーバおよび認証端末に関する。
【背景技術】
【０００２】
従来、ネットワークコンテンツの著作権管理を行う機構を含めた販売形態に関する技術として、コンテンツデータとライセンスデータの両方を同時または異なる時刻にユーザ側の装置に送信するものがあった（例えば、特許文献１参照）。
【０００３】
【特許文献１】特開2004-265333号公報（段落0222）
【発明の開示】
【発明が解決しようとする課題】
【０００４】
しかしながら、従来の技術では、通信ネットワークを経由して接続されたコンテンツ提供事業者による認証を得られない状況において、正規のコンテンツ入手者であっても入手操作を行った機器と異なる再生機器では入手したコンテンツを再生出来ないことにより、ユーザに不便を強いることになるという問題点があった。
【０００５】
本発明の目的は、著作権を尊重しつつ任意の装置でコンテンツを使用出来る利便性の高いネットワークコンテンツ管理方法、コンテンツサーバ、再生機器、認証サーバおよび認証端末を提供することである。
【課題を解決するための手段】
【０００６】
本発明は、コンテンツを提供するコンテンツサーバ、前記コンテンツを再生する再生機器、前記コンテンツを入手するために認証を取得する認証端末および前記認証端末に関する認証を発行する認証サーバを含むシステムにおいて実行されるネットワークコンテンツ管理方法であって、
コンテンツのダウンロードを前記再生機器が前記コンテンツサーバに要求するステップと、
前記要求に対して前記コンテンツサーバが前記再生機器に応答を返すステップと、
前記応答を前記再生機器が前記認証端末に転送するステップと、
前記応答に対して前記再生機器にコンテンツをダウンロードさせることを前記認証端末が前記コンテンツサーバに要求するステップと、
前記要求に対して前記認証端末に関する認証を前記コンテンツサーバが前記認証サーバに要求するステップと、
前記認証の要求に対して前記認証サーバが前記コンテンツサーバに認証する応答を返すステップと、
前記認証の応答が得られた場合に、前記コンテンツサーバが前記再生機器にコンテンツデータを送出するステップとを含むことを特徴とするネットワークコンテンツ管理方法である。
【０００７】
また本発明は、コンテンツを提供するコンテンツサーバであって、
コンテンツを再生する再生機器から送信された、コンテンツのダウンロード要求を受信する第１ＤＬ要求受信手段と、
前記ダウンロード要求に対して前記再生機器に応答を送信する応答送信手段と、
認証端末から送信された、前記再生機器にコンテンツをダウンロードさせる要求を受信する第２ＤＬ要求受信手段と、
前記認証端末に関する認証要求を認証サーバに送信する認証要求送信手段と、
前記認証サーバから送信された、前記認証端末に関する認証応答を受信する認証応答受信手段と、
前記認証サーバから認証応答が得られた場合に、前記再生機器にコンテンツデータを送出するコンテンツ送出手段とを備えたことを特徴とするコンテンツサーバである。
【０００８】
また本発明は、コンテンツを再生する再生機器であって、
コンテンツのダウンロードに関する要求をコンテンツサーバに送信する第１ＤＬ要求送信手段と、
前記第１ＤＬ要求に対して前記コンテンツサーバから送信された応答を受信するＤＬ応答受信手段と、
受信した前記ＤＬ応答を認証端末に転送するＤＬ応答転送手段と、
前記コンテンツサーバから送出されたコンテンツデータを受信するコンテンツ受信手段とを備えたことを特徴とする再生機器である。
【０００９】
また本発明は、コンテンツを入手するために認証を取得する認証端末であって、
再生機器からコンテンツサーバに送信されたコンテンツのダウンロードに関する要求に対して前記コンテンツサーバが前記再生機器に返し前記再生機器から転送された応答を受信するＤＬ応答受信手段と、
前記ＤＬ応答に対して前記再生機器にコンテンツをダウンロードさせる要求を前記コンテンツサーバに送信するＤＬ要求送信手段とを備えたことを特徴とする認証端末である。
【００１０】
また本発明は、認証端末に関する認証を行う認証サーバであって、
コンテンツサーバから送信された、再生機器に対しコンテンツをダウンロードするための、前記認証端末に関する認証要求を受信する認証要求受信手段と、
前記認証要求に対して前記コンテンツサーバに認証する応答を送信する認証応答送信手段とを備えたことを特徴とする認証サーバである。
【発明の効果】
【００１１】
本発明によれば、任意の装置でコンテンツを使用できるようになり、利便性を格段に向上することができる。
【発明を実施するための最良の形態】
【００１２】
実施の形態１．
図１は、本発明の実施の形態１に係るネットワーク構成を示す図である。コンテンツサーバ１は、コンテンツ提供事業者が運用するサーバであって内部に記憶しているコンテンツデータをユーザからの要求に応じて提供する装置である。再生機器２は、ユーザが保有し、入手したコンテンツデータを再生する機器である。ネットワーク３は、各機器を相互に接続し機器間でデータなどの信号を送受信するための通信経路である。携帯電話事業者４は、携帯電話基地局９９をネットワーク３に接続する。携帯電話機５は、ユーザが携帯可能な電話機であって、コンテンツデータを入手するためにユーザ認証を受けるための認証端末として機能する。認証サーバ６は、携帯電話事業者が運営し携帯電話ユーザの認証を行うサーバである。
【００１３】
図２は、ユーザがコンテンツデータを選択するために表示される画面の例を示す図である。コンテンツリスト７は、各コンテンツデータに関する情報を配列表示したものである。有料コンテンツデータでは価格、訪問者に入手意欲を提供する様な解説等の内容が加わる。さらに有料コンテンツである場合は、支払い方法等の説明、および入力を求める画面が合せて表示される場合もある。
【００１４】
図３は、ダウンロード認証第１要求メッセージの構成を例示する図である。ダウンロード認証第１要求メッセージ１０は、コンテンツデータのダウンロードに関する認証操作時に再生機器２からコンテンツサーバ１に送出されるデータ列である。物理アドレス８は、再生機器に割り当てられたアドレスである。情報９は、選択したコンテンツを特定する情報である。
【００１５】
なお、これ以降では、ダウンロードをＤＬと表記する場合がある。
【００１６】
図４は、ダウンロード認証応答メッセージの構成を例示する図である。ダウンロード認証応答メッセージ１１は、データのダウンロードの認証操作時にコンテンツサーバから再生機器に送出されるデータ列であって、再生機器の物理アドレスと選択したコンテンツデータを特定する情報を含め記号化または暗号化を行なったデータ列を専用のＵＲＬの形態としたものである。
【００１７】
図５は、ダウンロードされるコンテンツデータの構成を例示する図である。ダウンロードデータ１６は、再生機器にコンテンツデータの送出を行う際にダウンロードされるデータ列である。識別符号１２は、携帯電話機を一意に特定するための識別符号であって、例えばＩＭＥＩ（International Mobile Equipment Identity）または携帯電話機の電話番号等である。管理番号１３は、提供コンテンツデータの管理番号であって、コンテンツサーバが付与する識別符号であり、再生機器の物理アドレスと提供したコンテンツデータごとに生成されるデータ列である。提供データ本体１４は、コンテンツデータの本体部分であり物理アドレスを解除用パスワードとする暗号化を施したデータ列である。チェック符号１５は、データが改ざんされた場合にそれを検出するために付加される符号であって、データ列の先頭から提供データ本体までについて何らかの生成式により生成されたデータ列である。
【００１８】
図６は、実行認証要求メッセージの構成を例示する図である。実行認証要求メッセージ２０は、コンテンツデータの再生動作の認証操作時に再生機器２からコンテンツサーバ１に送出されるデータ列である。物理アドレス１８は、再生機器の物理アドレスである。管理番号１９は、提供コンテンツデータの管理番号である。
【００１９】
図７は、コンテンツサーバ内の管理テーブルの構成を例示する図である。物理アドレス２１は、再生機器の物理アドレスである。管理番号２２は、提供コンテンツデータの管理番号である。識別符号２３は、携帯電話機を特定する識別符号である。メールアドレス２４は、コンテンツ入手者のメールアドレスである。使用回数２５は、各コンテンツデータが使用つまり再生された回数である。
【００２０】
この例では、再生機器の物理アドレスごとに管理を行う形態としているが、特に限るものではなく、携帯電話機を特定する識別符号ごとに管理する形態等も実施可能である。
【００２１】
図８は、再生機器内の管理テーブルの構成を例示する図である。この管理テーブルでは、ダウンロードを行ったコンテンツデータが管理される。識別符号２６は、コンテンツ入手を行った携帯電話機を特定する識別符号である。メールアドレス２７は、コンテンツ入手者のメールアドレスである。管理番号２８は、提供コンテンツデータの管理番号である。データ本体２９は、提供を受けたデータの本体である。カウンタ３０は、再生通知保留回数を計数するカウンタである。
【００２２】
次に、コンテンツのダウンロード動作について説明する。
【００２３】
予め、コンテンツ提供事業者は保有するコンテンツデータを元に、図２に例示したようなコンテンツ提供用のメニュー画面を作成しておく。
【００２４】
まず、コンテンツ入手操作者は再生機器２を操作してコンテンツデータの入手を行うために、コンテンツ提供事業者が運営するコンテンツサーバ１にアクセスを行う。このアクセスに応じて、コンテンツサーバ１は予め作成しておいたメニュー画面を再生機器２に送出する。入手操作者は、再生機器２上のメニュー画面でダウンロードを行うコンテンツデータを選択する。コンテンツが選択されると、再生機器２はコンテンツサーバ１にダウンロード認証第１要求メッセージ１０を送出する。
【００２５】
続いて、コンテンツサーバ１は、再生機器２を操作する入手操作者がコンテンツデータ入手を求める通知、すなわちダウンロード認証第１要求メッセージ１０を受信する。ダウンロード認証第１要求メッセージ１０に応じてコンテンツサーバ１は、再生機器２にダウンロード認証応答メッセージ１１を送出する。再生機器２は、コンテンツサーバ１から送られてきたダウンロード認証応答メッセージ１１を受信すると、携帯電話機５にダウンロード認証応答メッセージ１１を転送する。
【００２６】
転送の方法として、再生機器２の画面に表示されたデータ列を入手操作者の操作により携帯電話機５に転送する方法、再生機器２に取り付ける赤外線インタフェース、Bluetooth（登録商標）等の無線インタフェースにより携帯電話機５に転送する方法、ダウンロード認証応答メッセージ１１をバーコード等の形態に図形化して表示を行い携帯電話機５のカメラ機能を含む図形認識機能により転送する方法が適用可能である。
【００２７】
続いて、携帯電話機５はコンテンツサーバ１に対しアクセスを行い、ダウンロード認証第２要求メッセージをコンテンツサーバ１に通知する。ダウンロード認証第２要求メッセージは、ダウンロード認証応答メッセージをＵＲＬとしてコンテンツサーバ１にアクセスを行う操作である。
【００２８】
コンテンツサーバ１はアクセスを行ってきたＵＲＬの文字列に対し、先立って生成しいずれかの再生機器に送出を行ったダウンロード認証応答メッセージ１１と一致する文字列があるか否かについて照合を行う。照合を行った結果、一致する文字列が存在した場合、コンテンツサーバ１はアクセスを行ってきた携帯電話機５について、発信元情報を抽出し、携帯電話事業者が運営する認証サーバ６に対し認証要求を行う。コンテンツサーバ１はアクセスを行ってきた携帯電話機５について携帯電話機５を特定する識別符号１２を携帯電話機から送信させる。
【００２９】
この手続きとして、該当の機能を行うＪＡＶＡ（登録商標）プログラム等を携帯電話機にダウンロードすることでそのプログラムにより送信させる方法の他、携帯電話事業者４が持つ携帯電話機の管理運用手続きの中で行い携帯電話事業者４からコンテンツサーバ１に伝送する等の方法が適用可能である。
【００３０】
続いて、コンテンツサーバ１は、ダウンロードデータ１６を生成する。コンテンツサーバ１は携帯電話機５について認証を得られた場合、アクセス中の再生機器２に対しコンテンツデータのダウンロードを促す画面を送出する。コンテンツサーバ１は入手操作者が指定する課金方法について携帯電話事業者経由である場合該当の携帯電話機５に対して認証サーバ６に課金を求める。コンテンツサーバ１は再生機器２からのダウンロード操作に対応し、選択されたコンテンツデータを含むダウンロードデータ１６を送出する。再生機器２はダウンロードデータ１６を内部に格納する。
【００３１】
次に、コンテンツの再生動作について説明する。
【００３２】
入手操作者は再生機器２を操作してダウンロードデータを選択する。再生機器２は再生機器内のダウンロードデータについて提供データ本体１４部分について再生機器２が持つ物理アドレスを暗号化解除用のパスワードとしてコンテンツデータの抽出を行う。再生機器２は抽出したコンテンツデータについて再生（音楽コンテンツの再生およびゲームコンテンツの実行等を含む）を行う。再生機器２は選択したコンテンツデータについて再生を行うごとにコンテンツサーバ１に再生したことについて通知を行う、すなわち実行認証要求メッセージ２０を送出する。
【００３３】
再生機器２は、選択したコンテンツデータについて再生を行うごとにコンテンツサーバ１に再生したことについて通知を行う操作を行う際にネットワークが使用出来ない場合、再生通知保留回数を計数するカウンタ３０をカウントアップする動作を行う。再生機器２は選択したコンテンツデータの再生についてコンテンツサーバ１に通知保留がある場合、別のダウンロード、または再生動作等のネットワーク接続が有効な時にまとめて通知する動作を行う。
【００３４】
続いて、コンテンツサーバ１は、再生機器２から送出される実行認証要求メッセージ２０を受信すると、メッセージ内の提供データコンテンツの管理番号１９を抽出し、該当の番号について管理テーブルから検索を行い、使用回数２５をカウントアップする。
【００３５】
本実施形態では実行する再生機器２と提供データ本体１４は一対であるため実行認証要求メッセージ２０を受信したことで、特に応答は行わなくても再生機器２内で暗号化データの解除は行われ使用されていることをコンテンツサーバ１が把握することが出来る。
【００３６】
携帯電話機を特定する識別符号２６とコンテンツ入手者のメールアドレス２７は実行動作、実行の前の認証動作では特に必要とするものではないが、入手したコンテンツデータの移動、または廃棄手続きを行うにあたり最低限必要となるものである。
【００３７】
以上のように本実施の形態によれば、携帯電話機などの認証端末による認証を用いた手順によってコンテンツを入手するので、任意の装置でコンテンツを使用できるようになり、利便性を格段に向上することができる。
【００３８】
また、コンテンツサーバは、認証端末を識別する識別情報をコンテンツデータに付加し、再生機器の物理アドレスで暗号化したものを送出するので、提供先となった再生機器でのみコンテンツを再生することができ、提供先ではない再生機器でコンテンツが再生されることを防ぐことができる。
【００３９】
また、携帯電話機などの認証端末を識別する識別情報をコンテンツデータに付加するので、コンテンツデータが流出したときに流出元を容易に特定することができる。
【００４０】
実施の形態２．
実施の形態２は、実施の形態１における図３（ＤＬ認証第１要求メッセージ）を図９に、図４（ＤＬ認証応答メッセージ）を図１０に、図７（コンテンツサーバ内の管理テーブル）を図１２にそれぞれ置き換え、新規に図１１を追加したものである。その他の図１（ネットワーク）、図２（メニュー画面）、図５（コンテンツデータ）、図６（実行認証要求メッセージ）、図８（再生機器内の管理テーブル）については、実施の形態１と同じである。以下、実施の形態１からの変更点を中心に説明する。
【００４１】
図９は、ダウンロード認証第１要求メッセージの構成を例示する図である。ダウンロード認証第１要求メッセージ１０は、コンテンツデータのダウンロードに関する認証操作時に再生機器２からコンテンツサーバ１に送出されるデータ列である。メールアドレス３１は、入手操作者のメールアドレスである。その他の構成要素について図３と同一のものについては、図３と同一符号を付し説明を省略する。
【００４２】
図１０は、ダウンロード認証応答メッセージの構成を例示する図である。ダウンロード認証応答メッセージ３２は、データのダウンロードの認証操作時にコンテンツサーバから再生機器に送出されるデータ列であって、入手操作者のメールアドレスと選択したコンテンツデータを特定する情報を含め記号化または暗号化を行なったデータ列を専用のＵＲＬの形態としたものである。
【００４３】
図１１は、実行認証応答メッセージの構成を例示する図である。実行認証応答メッセージ３５は、コンテンツデータの再生動作の認証操作時にコンテンツサーバ１から再生機器２に送出されるデータ列である。管理番号３３は、提供コンテンツデータの管理番号である。解除用パスワード３４は、暗号化データの解除用パスワードである。
【００４４】
図１２は、コンテンツサーバ内の管理テーブルの構成を例示する図である。解除用パスワード３６は、暗号化データの解除用パスワードである。その他の構成要素について、図７と同一のものは同一符号を付し説明を省略する。
【００４５】
なお、本実施の形態２においては、解除用パスワードとしてメールアドレスを使用するものとする。
【００４６】
次に、コンテンツのダウンロード動作について説明する。
【００４７】
予め、コンテンツ提供事業者は保有するコンテンツデータを元に、コンテンツ提供用のメニュー画面を作成しておく。
【００４８】
まず、コンテンツ入手操作者は再生機器２を操作してコンテンツデータの入手を行うために、コンテンツ提供事業者が運営するコンテンツサーバ１にアクセスを行う。このアクセスに応じて、コンテンツサーバ１は予め作成しておいたメニュー画面を再生機器２に送出する。入手操作者は、再生機器２上のメニュー画面でダウンロードを行うコンテンツデータを選択する。コンテンツが選択されると、再生機器２はコンテンツサーバ１にダウンロード認証第１要求メッセージ１０を送出する。
【００４９】
続いて、コンテンツサーバ１は、再生機器２を操作する入手操作者がコンテンツデータ入手を求める通知、すなわちダウンロード認証第１要求メッセージ１０を受信する。ダウンロード認証第１要求メッセージ１０に応じてコンテンツサーバ１は、再生機器２にダウンロード認証応答メッセージ３２を送出する。再生機器２は、コンテンツサーバ１から送られてきたダウンロード認証応答メッセージ３２を受信すると、携帯電話機５にダウンロード認証応答メッセージ３２を転送する。
【００５０】
続いて、携帯電話機５はコンテンツサーバ１に対しアクセスを行い、ダウンロード認証第２要求メッセージをコンテンツサーバ１に通知する。ダウンロード認証第２要求メッセージは、ダウンロード認証応答メッセージをＵＲＬとしてコンテンツサーバ１にアクセスを行う操作である。
【００５１】
コンテンツサーバ１はアクセスを行ってきたＵＲＬの文字列に対し、先立って生成しいずれかの再生機器に送出を行ったダウンロード認証応答メッセージ３２と一致する文字列があるか否かについて照合を行う。照合を行った結果、一致する文字列が存在した場合、コンテンツサーバ１はアクセスを行ってきた携帯電話機５について、発信元情報を抽出し、携帯電話事業者が運営する認証サーバ６に対し認証要求を行う。コンテンツサーバ１はアクセスを行ってきた携帯電話機５について携帯電話機５を特定する識別符号１２を携帯電話機から送信させる。
【００５２】
続いて、コンテンツサーバ１は、ダウンロードデータ１６を生成する。コンテンツサーバ１は携帯電話機５について認証を得られた場合、アクセス中の再生機器２に対しコンテンツデータのダウンロードを促す画面を送出する。コンテンツサーバ１は入手操作者が指定する課金方法について携帯電話事業者経由である場合該当の携帯電話機５に対して認証サーバ６に課金を求める。コンテンツサーバ１は再生機器２からのダウンロード操作に対応し、選択されたコンテンツデータを含むダウンロードデータ１６を送出する。再生機器２はダウンロードデータ１６を内部に格納する。
【００５３】
次に、コンテンツの再生動作について説明する。
【００５４】
入手操作者は再生機器２を操作してダウンロードデータを選択する。再生機器２は選択したダウンロードデータについて提供コンテンツデータの管理番号を抽出する。再生機器２は選択したダウンロードデータについて実行認証要求メッセージ２０をコンテンツサーバ１に送出する。
【００５５】
続いて、コンテンツサーバ１は、再生機器２から送出される実行認証要求メッセージ２０を受信すると、メッセージ内の提供データコンテンツの管理番号１９を抽出し、該当の番号について管理テーブルから検索を行い、使用回数２５をカウントアップする。
【００５６】
続いて、コンテンツサーバ１は抽出した提供データコンテンツの管理番号を元に、該当のパスワードを抽出し実行認証応答メッセージ３５を生成し再生機器２に向け送出する。再生機器２はコンテンツサーバから受信した実行認証応答メッセージ３５からパスワード３４を抽出し、選択中のデータ本体について暗号化を解除する動作を行い、再生動作を行う。
【００５７】
なお、再生機器２は選択したコンテンツデータについて再生を行うごとにコンテンツサーバ１に使用したことについて通知を行う操作を行う際、ネットワークが使用出来ない場合、使用通知保留回数カウンタ３０をカウントアップする動作を行う。
【００５８】
再生機器２は選択したコンテンツデータの使用についてコンテンツサーバ１に通知保留がある場合、以降のダウンロード、または使用動作等のネットワーク接続が有効な時にまとめて通知する動作を行う。
【００５９】
以上のように本実施の形態によれば、携帯電話機などの認証端末による認証を用いた手順によってコンテンツを入手するので、任意の装置でコンテンツを使用できるようになり、利便性を格段に向上することができる。
【００６０】
また、コンテンツサーバは、認証端末を識別する識別情報および再生機器の物理アドレスをコンテンツデータに付加し、認証端末の電子メールアドレスで暗号化したものを送出するので、提供先となった再生機器でのみコンテンツを再生することができ、提供先ではない再生機器でコンテンツが再生されることを防ぐことができる。
【００６１】
ただし、著作権が再生機器に固定せずデータ入手者に付くライセンスデータであれば、データ入手者のパスワード入力によりダウンロード時と異なる再生機器で再生動作を行うことが出来る。当初の提供先とした再生機器と異なる再生機器で再生する場合は、暗号の解除操作についてメールアドレスを操作者が入力することにより再生を行うことが出来る。解除用パスワードをメールアドレスとするコンテンツのデータ形態とする事により、当初のコンテンツデータ入手者に対し容易な配布について自制させる効果がある。
【００６２】
また、携帯電話機などの認証端末を識別する識別情報をコンテンツデータに付加するので、コンテンツデータが流出したときに流出元を容易に特定することができる。
【００６３】
実施の形態３．
実施の形態３は、実施の形態２における図９（ＤＬ認証第１要求メッセージ）を図１３に、図５（コンテンツデータ）を図１４にそれぞれ置き換えたものである。その他の図１（ネットワーク）、図２（メニュー画面）、図１０（ＤＬ認証応答メッセージ）、図６（実行認証要求メッセージ）、図１１（実行認証応答メッセージ）、図１２（コンテンツサーバ内の管理テーブル）、図８（再生機器内の管理テーブル）については、実施の形態２と同じである。以下、実施の形態２からの変更点を中心に説明する。
【００６４】
図１３は、ダウンロード認証第１要求メッセージの構成を例示する図である。ＤＬ認証第１要求メッセージ３７は、コンテンツデータのダウンロードに関する認証操作時に再生機器２からコンテンツサーバ１に送出されるデータ列である。解除用パスワード３８は、暗号化データの解除用パスワードである。その他の構成要素について図９と同一のものについては、図９と同一符号を付し説明を省略する。
【００６５】
図１４は、ダウンロードされるコンテンツデータの構成を例示する図である。ダウンロードデータ３８は、再生機器にコンテンツデータの送出を行う際にダウンロードされるデータ列である。メールアドレス３１は、入手操作者のメールアドレスであって、コンテンツデータに対して意図しない複製が施された場合等にデータ自身から流出元を容易に識別するためにダウンロードデータ３８に含ませている。その他の構成要素について図５と同一のものについては、図５と同一符号を付し説明を省略する。
【００６６】
次に、コンテンツのダウンロード動作について説明する。
【００６７】
予め、コンテンツ提供事業者は保有するコンテンツデータを元に、コンテンツ提供用のメニュー画面を作成しておく。
【００６８】
まず、コンテンツ入手操作者は再生機器２を操作してコンテンツデータの入手を行うために、コンテンツ提供事業者が運営するコンテンツサーバ１にアクセスを行う。このアクセスに応じて、コンテンツサーバ１は予め作成しておいたメニュー画面を再生機器２に送出する。入手操作者は、再生機器２上のメニュー画面でダウンロードを行うコンテンツデータを選択する。コンテンツが選択されると、再生機器２はコンテンツサーバ１にダウンロード認証第１要求メッセージ１０を送出する。
【００６９】
続いて、コンテンツサーバ１は、再生機器２を操作する入手操作者がコンテンツデータ入手を求める通知、すなわちダウンロード認証第１要求メッセージ１０を受信する。ダウンロード認証第１要求メッセージ１０に応じてコンテンツサーバ１は、再生機器２にダウンロード認証応答メッセージ３２を送出する。再生機器２は、コンテンツサーバ１から送られてきたダウンロード認証応答メッセージ３２を受信すると、携帯電話機５にダウンロード認証応答メッセージ３２を転送する。
【００７０】
続いて、携帯電話機５はコンテンツサーバ１に対しアクセスを行い、ダウンロード認証第２要求メッセージをコンテンツサーバ１に通知する。ダウンロード認証第２要求メッセージは、ダウンロード認証応答メッセージをＵＲＬとしてコンテンツサーバ１にアクセスを行う操作である。
【００７１】
コンテンツサーバ１はアクセスを行ってきたＵＲＬの文字列に対し、先立って生成しいずれかの再生機器に送出を行ったダウンロード認証応答メッセージ３２と一致する文字列があるか否かについて照合を行う。照合を行った結果、一致する文字列が存在した場合、コンテンツサーバ１はアクセスを行ってきた携帯電話機５について、発信元情報を抽出し、携帯電話事業者が運営する認証サーバ６に対し認証要求を行う。コンテンツサーバ１はアクセスを行ってきた携帯電話機５について携帯電話機５を特定する識別符号１２を携帯電話機から送信させる。
【００７２】
続いて、コンテンツサーバ１は、ダウンロードデータ３８を生成する。コンテンツサーバ１は携帯電話機５について認証を得られた場合、アクセス中の再生機器２に対しコンテンツデータのダウンロードを促す画面を送出する。コンテンツサーバ１は入手操作者が指定する課金方法について携帯電話事業者経由である場合該当の携帯電話機５に対して認証サーバ６に課金を求める。コンテンツサーバ１は再生機器２からのダウンロード操作に対応し、選択されたコンテンツデータを含むダウンロードデータ３８を送出する。再生機器２はダウンロードデータ３８を内部に格納する。
【００７３】
次に、コンテンツの再生動作について説明する。
【００７４】
入手操作者は再生機器２を操作してダウンロードデータを選択する。再生機器２は選択したダウンロードデータについて提供コンテンツデータの管理番号を抽出する。再生機器２は選択したダウンロードデータについて実行認証要求メッセージ２０をコンテンツサーバ１に送出する。
【００７５】
続いて、コンテンツサーバ１は、再生機器２から送出される実行認証要求メッセージ２０を受信すると、メッセージ内の提供データコンテンツの管理番号１９を抽出し、該当の番号について管理テーブルから検索を行い、使用回数２５をカウントアップする。
【００７６】
続いて、コンテンツサーバ１は抽出した提供データコンテンツの管理番号を元に、該当のパスワードを抽出し実行認証応答メッセージ３５を生成し再生機器２に向け送出する。再生機器２はコンテンツサーバから受信した実行認証応答メッセージ３５からパスワード３４を抽出し、選択中のデータ本体について暗号化を解除する動作を行い、再生動作を行う。
【００７７】
なお、再生機器２は選択したコンテンツデータについて再生を行うごとにコンテンツサーバ１に使用したことについて通知を行う操作を行う際、ネットワークが使用出来ない場合、使用通知保留回数カウンタ３０をカウントアップする動作を行う。
【００７８】
再生機器２は選択したコンテンツデータの使用についてコンテンツサーバ１に通知保留がある場合、以降のダウンロード、または使用動作等のネットワーク接続が有効な時にまとめて通知する動作を行う。
【００７９】
以上のように本実施の形態によれば、携帯電話機などの認証端末による認証を用いた手順によってコンテンツを入手するので、任意の装置でコンテンツを使用できるようになり、利便性を格段に向上することができる。
【００８０】
また、コンテンツサーバは、認証端末を識別する識別情報、再生機器の物理アドレスおよび認証端末の電子メールアドレスをコンテンツデータに付加し、所定のパスワードで暗号化したものを送出するので、提供先となった再生機器でのみコンテンツを再生することができ、提供先ではない再生機器でコンテンツが再生されることを防ぐことができる。
【００８１】
ただし、著作権が再生機器に固定せずデータ入手者に付くライセンスデータであれば、データ入手者のパスワード入力によりダウンロード時と異なる再生機器で再生動作を行うことが出来る。当初の提供先とした再生機器と異なる再生機器で再生する場合は、暗号の解除操作について解除用パスワードを操作者が入力することにより再生を行うことが出来る。データ列に含めたメールアドレスが特別な復号無く見えるコンテンツのデータ形態とする事により、当初のコンテンツデータ入手者に対し容易な配布について自制させる効果がある。コンテンツサーバは、ネットワークの物理アドレスについて再生機器が持つ値と認証により入手操作を行った再生機器の物理アドレスの値と照合することで、当初の提供先とした再生機器との相違をコンテンツ提供事業者は知ることが出来る。
【００８２】
また、携帯電話機などの認証端末を識別する識別情報をコンテンツデータに付加するので、コンテンツデータが流出したときに流出元を容易に特定することができる。
【００８３】
実施の形態４．
実施の形態４は、実施の形態３における図１（ネットワーク）を図１５に置き換え、新規に図１６および図１７を追加したものである。その他の図２（メニュー画面）、図１３（ＤＬ認証第１要求メッセージ）、図１０（ＤＬ認証応答メッセージ）、図１４（コンテンツデータ）、図６（実行認証要求メッセージ）、図１１（実行認証応答メッセージ）、図１２（コンテンツサーバ内の管理テーブル）、図８（再生機器内の管理テーブル）については、実施の形態３と同じである。以下、実施の形態３からの変更点を中心に説明する。
【００８４】
図１５は、ネットワーク構成を示す図である。再生機器３９は、再生機器２とは別の第２の再生機器を示す。その他の構成要素について、図１と同一のものについては同一符号を付し説明を省略する。
【００８５】
図１６は、仮実行用の認証要求メッセージの構成を例示する図である。物理アドレス１７は、第２の再生機器３９の物理アドレスである。管理番号１９は、提供コンテンツデータの管理番号である。認証要求メッセージ４０は、仮実行用の認証要求メッセージである。
【００８６】
図１７は、仮実行用の認証応答メッセージの構成を例示する図である。仮実行用の認証応答メッセージ４１は、第２の再生機器３９の物理アドレス１７と、選択したコンテンツデータを特定する情報と、仮の実行認証である旨を示す情報とを含めて記号化または暗号化を行なったデータ列を専用のＵＲＬの形態としたものである。
【００８７】
コンテンツのダウンロード動作については、実施の形態３と同一であるため説明を省略する。
【００８８】
次に、コンテンツの再生動作について説明する。
【００８９】
再生機器２にてコンテンツのダウンロードを行った後、入手操作者が再生機器２からコンテンツデータを取り出し、第２の再生機器３９にコピーまたは移動を行ない、第２の再生機器３９において再生動作の手続きを開始する。この手続きに応じて、第２の再生機器３９は、ネットワークに対して持つ物理アドレスを暗号化解除用のパスワードとしてコンテンツデータの抽出を行う。ここで入手したコンテンツデータの解除用パスワードと、再生機器の物理アドレスとが一致しないことから、再生動作は実行されず、コンテンツサーバ１に対し仮実行用の認証要求を行うべく仮実行用の認証要求メッセージ４０が第２の再生機器３９からコンテンツサーバ１に送出される。
【００９０】
続いて、コンテンツサーバ１は、提供済みのコンテンツデータの管理番号に対して仮実行用の認証要求メッセージ４０と対応する再生機器の物理アドレスとが一致しないことから、該当のコンテンツに対してコピーまたは移動等の操作が行われた事と、コピー先または移動先等の再生機器とを認識する。コンテンツサーバ１は、該当のコンテンツについて実行を許可する場合、第２の再生機器３９に対し仮実行用の認証応答メッセージ４１を送出する。
【００９１】
仮実行用の認証応答メッセージ４１を受信した第２の再生機器３９は、この仮実行用の認証応答メッセージ４１を携帯電話機５に転送する。仮実行用の認証応答メッセージ４１は、第２の再生機器３９がコンテンツサーバ１から受信したデータ列をＵＲＬとして、携帯電話機５からコンテンツサーバ１にアクセスさせるものである。
【００９２】
転送方法としては、第２の再生機器３９の画面に表示されたデータ列を入手操作者の操作により携帯電話機５に転送する方法、第２の再生機器３９に取り付けられた赤外線インタフェース、Bluetooth等の無線インタフェースにより携帯電話機５に転送する方法、バーコード等の形態に図形化して表示を行い携帯電話機５のカメラ機能を含む図形認識機能により転送する方法が適用可能である。
【００９３】
続いて、携帯電話機５は、仮実行用の認証応答メッセージ４１に従ってコンテンツサーバ１にアクセスを行う、すなわち仮実行用の認証第２要求メッセージをコンテンツサーバ１に通知する。仮実行用の認証第２要求メッセージの通知は、仮実行用の認証第２要求メッセージをＵＲＬとしてコンテンツサーバ１にアクセスを行う操作である。
【００９４】
続いて、コンテンツサーバ１はアクセスを行ってきたＵＲＬの文字列に対し、先立って生成しいずれかの再生機器に送出を行った仮実行用の認証第２要求メッセージと一致する文字列があるか否かについて照合を行う。照合を行った結果、一致する文字列が存在した場合、コンテンツサーバ１はアクセスを行ってきた携帯電話機５について、発信元情報を抽出し、携帯電話事業者が運営する認証サーバ６に対し認証要求を行う。
【００９５】
続いて、コンテンツサーバ１は、アクセスを行ってきた携帯電話機５について携帯電話機５を特定する識別符号１２を携帯電話機５から送信させる。この手続きは該当の機能を行うＪＡＶＡ（登録商標）プログラム等を携帯電話機５にダウンロードすることで、そのプログラムにより送信させる他、携帯電話事業者が持つ携帯電話機５の管理運用手続きの中で行い携帯電話事業者からコンテンツサーバ１に伝送する等の手段が考えられる。
【００９６】
続いて、コンテンツサーバ１は、抽出した提供データコンテンツデータの管理番号を元に、該当のパスワードを抽出し実行認証応答メッセージ３５を生成し、第２の再生機器３９に向け送出する。第２の再生機器３９は、コンテンツサーバ１から受信した実行認証応答メッセージ３５からパスワード３４を抽出し、選択中のデータ本体について暗号化を解除する動作を行い、再生動作を行う。
【００９７】
以上のように本実施の形態によれば、携帯電話機などの認証端末による認証を用いた手順によってコンテンツを再生するので、任意の装置でコンテンツを使用できるようになり、利便性を格段に向上することができる。
【図面の簡単な説明】
【００９８】
【図１】実施の形態１に係るネットワーク構成を示す図である。
【図２】実施の形態１に係るメニュー画面を例示する図である。
【図３】実施の形態１に係るダウンロード認証第１要求メッセージの構成を例示する図である。
【図４】実施の形態１に係るダウンロード認証応答メッセージの構成を例示する図である。
【図５】実施の形態１に係るダウンロードされるコンテンツデータの構成を例示する図である。
【図６】実施の形態１に係る実行認証要求メッセージの構成を例示する図である。
【図７】実施の形態１に係るコンテンツサーバ内の管理テーブルの構成を例示する図である。
【図８】実施の形態１に係る再生機器内の管理テーブルの構成を例示する図である。
【図９】実施の形態２に係るダウンロード認証第１要求メッセージの構成を例示する図である。
【図１０】実施の形態２に係るダウンロード認証応答メッセージの構成を例示する図である。
【図１１】実施の形態２に係る実行認証応答メッセージの構成を例示する図である。
【図１２】実施の形態２に係るコンテンツサーバ内の管理テーブルの構成を例示する図である。
【図１３】実施の形態３に係るダウンロード認証第１要求メッセージの構成を例示する図である。
【図１４】実施の形態３に係るダウンロードされるコンテンツデータの構成を例示する図である。
【図１５】実施の形態４に係るネットワーク構成を示す図である。
【図１６】実施の形態４に係る仮実行用の認証要求メッセージの構成を例示する図である。
【図１７】実施の形態４に係る仮実行用の認証応答メッセージの構成を例示する図である。
【符号の説明】
【００９９】
１：コンテンツサーバ
２：再生機器
３：ネットワーク
４：携帯電話事業者
５：携帯電話機
６：認証サーバ
７：コンテンツ名称
８：物理アドレス
９：情報
１０：ダウンロード認証第１要求メッセージ
１１：ダウンロード認証応答メッセージ
１２：識別符号
１３：管理番号
１４：提供データ本体
１５：チェック符号
１６：ダウンロードデータ
１７：物理アドレス
１８：物理アドレス
１９：管理番号
２０：実行認証要求メッセージ
２１：物理アドレス
２２：管理番号
２３：識別符号
２４：メールアドレス
２５：使用回数
２６：識別符号
２７：メールアドレス
２８：管理番号
２９：データ本体
３０：再生通知保留回数カウンタ
３１：メールアドレス
３２：ダウンロード認証応答メッセージ
３３：管理番号
３４：解除用パスワード
３５：実行認証応答メッセージ
３６：解除用パスワード
３７：ダウンロード認証第１要求メッセージ
３８：解除用パスワード
３９：第２の再生機器、
４０：仮実行用の認証要求メッセージ
４１：仮実行用の認証応答メッセージ
【図１】
2009075987.tif 000003
【図２】
2009075987.tif 000004
【図３】
2009075987.tif 000005
【図４】
2009075987.tif 000006
【図５】
2009075987.tif 000007
【図６】
2009075987.tif 000008
【図７】
2009075987.tif 000009
【図８】
2009075987.tif 000010
【図９】
2009075987.tif 000011
【図１０】
2009075987.tif 000012
【図１１】
2009075987.tif 000013
【図１２】
2009075987.tif 000014
【図１３】
2009075987.tif 000015
【図１４】
2009075987.tif 000016
【図１５】
2009075987.tif 000017
【図１６】
2009075987.tif 000018
【図１７】
2009075987.tif 000019